(57)【特許請求の範囲】
【請求項１】
ケーシングと該ケーシングに上下動自在に保持される複数の操作体と、この複数の操作体を上下動自在に保持する復帰ばねとを有する操作機構部と、
前記各操作体の上下動により夫々スイッチング動作を行う複数のスイッチ素子と該複数のスイッチ素子を外部機器に接続するための複数の端子と前記複数のスイッチ素子および前記複数の端子を支持した基台とを有する、前記操作機構部と別体で構成されたスイッチ機構部とを備えてなり、
前記基台が前記ケーシング内に固定されて前記操作機構部と前記スイッチ機構部とが一体化されている多連スイッチ装置であって、
前記複数のスイッチ素子は前記基台に固着された固定接点と該固定接点に接離する導電性を有する板ばね材で形成した可動接点とを夫々有し、前記操作体の下動に連動して前記可動接点を自身の弾性力で前記固定接点に弾接させると共に、前記操作体の上動に連動させて前記可動接点を自身の弾性力に抗して前記固定接点から離間せしめるようにし、
前記可動接点は一対のばね片を有し、前記操作体には前記一対のばね片の間に挿入される突起と、この突起から延出するように設けられた、前記一対のばね片の下面と夫々当接する腕部とを有し、
前記基台が前記複数の操作体の下側に配置され、
該基台上に前記複数のスイッチ素子が前記複数の操作体の配列方向に沿って一列に整列して配置されており、
前記可動接点が前記基台上に片持ち状態で固設されて、
前記可動接点の自由端側が前記複数の操作体の配列方向に向かって同一方向に延在されている
ことを特徴とする多連スイッチ装置。
【請求項２】
前記可動接点は前記基台にかしめられて取り付けられていることを特徴とする請求項１に記載の多連スイッチ装置。
【請求項３】
前記可動接点は平板状の支持部を有し、前記一対のばね片は、前記支持部の一縁から立ち上がり他縁側に折り返されたことを特徴とする請求項１又は２に記載の多連スイッチ装置。
【発明の詳細な説明】
【０００１】
【発明の属する技術分野】
本発明は多連スイッチ装置に係り、特にレンジフードの操作部に用いて好適な多連スイッチ装置に関するものである。
【０００２】
【従来の技術】
図１５は従来の多連スイッチ装置の一側面側から見た側面図である。同図に示すようにこの多連スイッチ装置は、一側面が開放された箱状のケーシング４１内に複数の操作体４２とリセット用の操作体４３とがケーシング４１の上面に一定間隔で設けられた開口４１ａから夫々上端部を復帰ばね５０の付勢力で突出させて上下動自在に保持されており、ケーシング４１内の複数の操作体４２とリセット用の操作体４３との各間には支持用突起４４を有する区画壁４５と金属片でなる固定接点４６とが夫々設けられている。
【０００３】
また、ケーシング４１内には、これら複数の操作体４２およびリセット用の操作体４３の夫々に形成された係合用突起（図示省略）と係合する１枚の係合用プレート４７が操作体４２の配列方向に向かって延びるように配設され、金属製の平板でなる共通端子４８が係合用プレート４７と略平行に取り付けられており、金属ばね板を曲折してなる可動接点４９が曲折部を区画壁４５と支持用突起４４との間に嵌入させて支持されいる。各可動接点４９は自身の弾発力で下端部を共通端子４８に圧接させて共通端子４８と電気的に接続され、曲折部よりも上側部分を各操作体４２の側部に形成された突部４２ａに係合させて上端部と所定間隔をもって対向する固定接点４６とで夫々スイッチ素子を構成している。
【０００４】
そして、いずれか１つの操作体４２の上端部を押下操作すると、上記係合用突起が係合用プレート４７と係合し、該操作体４２を押し込み状態に保持させると共に、該操作体４２の下動に伴って突部４２ａとの係合が解除されて可動接点４９が自身の弾発力で固定接点４６に接触し、押圧された操作体４２に対応するスイッチ素子がオンする。
【０００５】
また、リセット用の操作体４３の上端部を押下操作すると、係合用プレート４７の上記係合突起との係合が解除されて、押し込み状態に保持された操作体４２が復帰ばね５０の付勢力で上方へ復帰し、該操作体４２の上動に連動して突起４２ａにより可動接点４９が固定接点４６から引き離され該操作体４２に対応するスイッチ素子がオフ状態となる。
【０００６】
この多連スイッチ装置の組立は、ケーシング４１内に係合用プレート４７と共通端子４８と複数の固定接点４６とを取付収納して、複数の操作体４２とリセット用の操作体４３とを夫々上端部が復帰ばね５０で開口部４１ａから突出するようにケーシング４１に保持した後、複数の可動接点４９を夫々区画壁４５と支持用突起４４との間に嵌入して組立られる。
【０００７】
【発明が解決しようとする課題】
しかしながら、上述した従来の多連スイッチ装置にあっては、各可動接点４６の曲折部を区画壁４５と支持用突起４４との間に嵌入して、可動接点４９を夫々ケーシング４１内の複数の操作体４２と区画壁４５との狭スペースに組み込む作業は極めて煩雑で組立に手数を要するという問題があった。
【０００８】
また、この組み込み作業の際に、可動接点４９の上下端部が固定接点４６や共通端子４８にぶつかる等の要因で可動接点４９の曲折角度が変化し、可動接点４９のばね特性の変化によってスイッチ素子のスイッチング動作が不安定になるといった問題があった。
【０００９】
本発明は、このような従来技術の事情に鑑みてなされたもので、その目的は、組立作業性に優れ安定したスイッチング動作を得ることのできる多連スイッチ装置を提供することにある。
【００１０】
【課題を解決するための手段】
上記目的を達成するために、本発明の多連スイッチ装置は、ケーシングと該ケーシングに上下動自在に保持される複数の操作体と、この複数の操作体を上下動自在に保持する復帰ばねとを有する操作機構部と、
前記各操作体の上下動により夫々スイッチング動作を行う複数のスイッチ素子と該複数のスイッチ素子を外部機器に接続するための複数の端子と前記複数のスイッチ素子および前記複数の端子を支持した基台とを有する、前記操作機構部と別体で構成されたスイッチ機構部とを備えてなり、
前記基台が前記ケーシング内に固定されて前記操作機構部と前記スイッチ機構部とが一体化されている多連スイッチ装置であって、
前記複数のスイッチ素子は前記基台に固着された固定接点と該固定接点に接離する導電性を有する板ばね材で形成した可動接点とを夫々有し、前記操作体の下動に連動して前記可動接点を自身の弾性力で前記固定接点に弾接させると共に、前記操作体の上動に連動させて前記可動接点を自身の弾性力に抗して前記固定接点から離間せしめるようにし、
前記可動接点は一対のばね片を有し、前記操作体には前記一対のばね片の間に挿入される突起と、この突起から延出するように設けられた、前記一対のばね片の下面と夫々当接する腕部とを有し、
前記基台が前記複数の操作体の下側に配置され、
該基台上に前記複数のスイッチ素子が前記複数の操作体の配列方向に沿って一列に整列して配置されており、
前記可動接点が前記基台上に片持ち状態で固設されて、
前記可動接点の自由端側が前記複数の操作体の配列方向に向かって同一方向に延在されていることを最も主要な特徴としている。
【００１１】
また、上記構成において、前記可動接点は前記基台にかしめられて取り付けられている構成にしてある。
【００１２】
また、上記構成において、前記可動接点は平板状の支持部を有し、前記一対のばね片は、前記支持部の一縁から立ち上がり他縁側に折り返された構成にしてある。
【００１４】
【発明の実施の形態】
以下、本発明の多連スイッチ装置の一実施形態を図に基づいて説明する。図１〜図１１は本発明の一実施形態を説明するもので、図１は本発明の一実施形態に係わる多連スイッチ装置のカバーを取り外して一側面側から見た側面図、図２は該多連スイッチ装置の短手方向に沿う断面図である。
【００１５】
両図に示すようにこの多連スイッチ装置は、一側面が開放された長尺箱状のケーシング２と該ケーシング２に上下動自在に保持される複数の操作体３，４，５，６とを有する操作機構部１と、各操作体３，４，５，６の上下動により夫々スイッチング動作を行う複数のスイッチ素子２９，３０，３１，３２を備えたスイッチ機構部１４とから主に構成されており、ケーシング２は開放された一側面を閉蓋するカバー１３を有し、カバー１３と反対側の他側面には該ケーシング２の内外を連通させる筒部２ｃが一体的に形成されている。
【００１６】
図３は操作機構部の一側面側から見た側面図であり、同図に示すように操作機構部１は、ケーシング２内に複数の操作体３，４，５，６とリセット用の操作体７とがケーシング２の上面に一定間隔で設けられた開口２ａから夫々上端部を復帰ばね８の付勢力で突出させて上下動自在に保持されており、操作体３〜６には腕部９ａを有するリフト用突起９が各々設けられ、また、操作体６にはその上端部を押下操作した際にケーシング２に揺動自在に支持された駆動ピン１０と協動して復帰ばね８の弾発力に抗して該操作体６の押し込み状態を保持するハート型カム溝６ａが形成されている。
【００１７】
また、ケーシング２内には、操作体３，４，５およびリセット用の操作体７の夫々に形成された係合用突起（図示省略）と各々係合する複数の切欠を有する１枚の係合用プレート１１が操作体３，４，５の配列方向に沿って往復移動自在に配設され、ケーシング２の内壁と係合用プレート１１との間に該係合用プレート１１を復動方向（矢印Ｂ方向）に付勢する圧縮ばね１２が介挿されており、後述する基台１５を固定するための一対の凸部でなる固定部２ｂがケーシング２の短手方向に延びるように形成されている。
【００１８】
そして、操作体３，４，５のいずれか１つ例えば操作体３を押下操作すると、操作体３の上記係合用突起とこれに対応する係合用プレート１１の切欠とが係合し、この係合力から生じる分力により係合用プレート１１が圧縮ばね１２の付勢力に抗して往動方向（矢印Ａ方向）へ移動し、上記係合用突起が切欠を通過したときに、圧縮ばね１２の付勢力により係合用プレート１１が復動方向（矢印Ｂ方向）に復帰して操作体３の上記係合突起の上面を押さえ付けて操作体３をロックし、復帰ばね８の付勢力に抗して操作体３を押し込み状態に保持する。
【００１９】
このように、操作体３，４，５はその押下操作の途中で上記係合用突起と切欠との係合により係合用プレート１１を一度往動方向（矢印Ａ方向）へ移動させるため、操作体３，４，５のいずれか１つを押下操作すると、それ以前に押し込み状態に保持されていた別の操作体３，４，５はロックが解除されて復帰ばね８で上方へ復帰し、押下操作された操作体３，４，５のいずれか１つ自らは復動方向（矢印Ｂ方向）に復帰する係合用プレート１１により押し込み状態に維持される。
【００２０】
また、操作体３，４，５の全てを上方へ復帰させるときには、リセット用の操作体７を押下操作し、リセット用の操作体７の上記係合用突起がこれに対応する係合用プレート１１の切欠と係合することによって係合用プレート１１が圧縮ばね１２の付勢力に抗して往動方向（矢印Ａ方向）へ移動し、この間に復帰ばね８で操作体３，４，５が上方へ復帰される。リセット用の操作体７の上記係合用突起は、リセット用の操作体７が押し込み状態においても係合用プレート１１の切欠を通過することなく係合状態が維持されるため、リセット用の操作体７は押下操作を止めると復帰ばね８の付勢力で上方へ復帰する。
【００２１】
図４はスイッチ機構部の平面図、図５はその一側面側から見た側面図、図６は該スイッチ機構部に備わる基台の平面図、図７は図６の７−７に沿う断面図、図８は図６の８−８に沿う断面図、図９は図６の９−９に沿う断面図、図１０は該スイッチ機構部に備わる可動接点の平面図、図１１はその一側面側から見た側面図である。
【００２２】
図４及び図５に示すように、スイッチ機構部１４は、矩形平板状の基台１５に、複数の端子１６，１７，１８，１９，２０，２１と複数の可動接点２２，２３，２４，２５とが支持された構造となっている。
【００２３】
基台１５は、絶縁合成樹脂材で成型されてなるもので、図６に示すように、複数の角孔１５ａと複数の円形孔１５ｂ，１５ｃとが穿設されている。
【００２４】
端子１６は、導電性の金属平板から形成されてなるもので、先端部を突出させて基台１５にインサート成形によって支持されており、後端部が分岐して角孔１５ａ内に夫々露出し、この端子１６の各露出部分に切り起こしにより細幅の立ち上がり部１６ａと係止爪部１６ｂとからなる係止用爪１６ｃと二股状の位置決め用爪１６ｄとが一体的に形成されている（図７〜図９参照）。
【００２５】
端子１７は、導電性の金属平板から形成されてなるもので、先端部を突出させて基台１５にインサート成形によって支持されており、後端部が分岐して円形孔１５ｂ内に夫々露出し、この端子１７の各露出部分には鳩目金具のような固定接点１７ａ，１７ｂ，１７ｃが夫々固着されている。
【００２６】
端子１８〜２１は、端子１６，１７同様、導電性の金属平板から形成されてなるもので、先端部を突出させて基台１５にインサート成形によって支持されており、各後端部が夫々円形孔１５ｃ内に露出し、これら端子１８〜２１の各露出部分には鳩目金具が如き固定接点１８ａ，１９ａ，２０ａ，２１ａが各々固着されている。
【００２７】
可動接点２２〜２４は、導電性の薄板から形成されてなるもので、図１０及び図１１に示すように、平板状の支持部２６と、該支持部２６の一縁から立ち上がり他縁側に折り返された一対のばね片２７，２８とを有し、支持部２６には位置決め用孔２６ａと係止用孔２６ｂとが穿設されており、一対のばね片２７，２８の自由端側には鳩目金具が如き接点部２７ａ，２８ａが各々固着されいる。
【００２８】
また、可動接点２５は、図４に示すように、可動接点２２〜２４から片方のばね片２８を立ち上がり基点部寄りを残すように除去した点が可動接点２２〜２４と異なるのみで他は可動接点２２〜２４と同じ構成である。
【００２９】
これら可動接点２２〜２５は、位置決め用孔２６ａに基台１５の各角孔１５ａから突出する位置決め用爪１６ｄが挿通され、係止用孔２６ｂに挿入されて矢印Ｂ方向に倒し込まれた係止用爪１６ｃで支持部２６がかしめ付けられることで基台１５の上面に片持ち状態で支持されており、可動接点２２と固定接点１７ａ，１８ａとでスイッチ素子２９が構成され、可動接点２３と固定接点１７ｂ，１９ａとでスイッチ素子３０が構成されていると共に、可動接点２４と固定接点１７ｃ，２０ａとでスイッチ素子３１が構成され、可動接点２５と固定接点２１ａとでスイッチ素子３２が構成されている。
【００３０】
そして、このスイッチ機構部１４はその基台１５をケーシング２の固定部２ｂ間に嵌入させることによって操作機構部１と一体化され、スイッチ機構部１４が操作機構部１と一体化されたときには、図１及び図２に示すように、複数の端子１６〜２１の各先端部がケーシング２の筒部２ｃ内に配置され、また、基台１５上に複数のスイッチ素子２９〜３２が複数の操作体３〜６の配列方向に沿って一列に整列して配置されて、可動接点２２〜２５の自由端側が複数の操作体３〜６の配列方向に向かって同一方向に延在された状態となっている。
【００３１】
次に、このように構成された多連スイッチ装置の組立方法について説明すると、先ず、複数の端子１６〜２１がインサート成形により取り付けられ固定接点１７ａ〜１７ｃ及び固定接点１８ａ，１９ａ，２０ａ，２１ａが固着された基台１５の各角孔１５ａから突出する位置決め用爪１６ｄ及び係止用爪１６ｃに、支持部２６の位置決め用孔２６ａと係止用孔２６ｂと夫々挿通し係止用爪１６ｃを矢印Ｂ方向に倒し込んで、係止用爪１６ｃで支持部２６をかしめ付けることにより可動接点２２〜２５を基台１５に支持して、スイッチ機構部１４を組み立てる。
【００３２】
次に、ケーシング２内に係合用プレート１１と圧縮ばね１２とを収容し、次いで、複数の操作体３，４，５のリフト用突起９を可動接点２２，２３，２４の一対のばね片２７，２８の間から挿入し、可動接点２２，２３，２４の一対のばね片２７，２８の下面に複数の操作体３，４，５の腕部９ａを夫々当接させた状態で、ケーシング２の固定部２ｂに基台１５を嵌入してスイッチ機構部１４をケーシング２に固定し、複数の操作体３，４，５をケーシング２の開口２ａに夫々配置する。
【００３３】
次に、操作体６とリセット用の操作体７とをケーシング２の開口２ａに夫々配置し、操作体６の腕部９ａを可動接点２５のばね片２７の下面と当接させ、次いで、ケーシング２の上面に復帰ばね８を取り付けて該復帰ばね８の付勢力で複数の操作体３〜６とリセット用の操作体７とを上方へ復帰させる。そして、ケーシング２に駆動ピン１０を支持して操作体６のハートカム型溝６ａに係合させた後、カバー１３をケーシング２に嵌め合わせて取り付ける。
【００３４】
このようにして多連スイッチ装置の組立は完了するが、組立後においては、可動接点２２〜２６の自由端側が上方へ復帰している複数の操作体３〜６のリフト用突起９の腕部９ａと係合して上方に持ち上げられて、スイッチ素子２９の接点部２７ａ，２８ａが夫々固定接点１８ａ，１７ａと間隙をもって対向し、スイッチ素子３０の接点部２７ａ，２８ａが夫々固定接点１９ａ，１７ｂと間隙をもって対向していると共に、スイッチ素子３１の接点部２７ａ，２８ａが夫々固定接点２０ａ，１７ｃと間隙をもって対向し、スイッチ素子３２の接点部２７ａが固定接点２１ａと間隙をもって対向した状態となっている。
【００３５】
本実施形態に係る多連スイッチ装置は上記したように構成・組み立てられており、次に、その動作について説明する。
【００３６】
この多連スイッチ装置は、台所の室壁に設置されるレンジフード等の外部機器に組み込まれて当該外部機器と複数の端子１６〜２１とを筒部２ｃに嵌挿されたコネクタで電気的に接続して端子１６に給電がなされた状態で使用され、上記レンジフードにおいて使用される場合には、屋外からの給気を行う空気通路のシャッタ装置と端子１７とを接続し、該レンジフードに装備された室内からの排気を行う換気扇装置と端子１８〜２０とを接続し、該レンジフードに備え付けられた照明器具と端子２１とを接続して、スイッチ素子２９〜３１が換気扇装置の運転制御とシャッタ装置の開閉制御とに割り当てられ、スイッチ素子３２が照明器具の点灯スイッチとして用いられる。
【００３７】
そして、例えば操作体３を押下操作すると、上述した係合用プレート１１の往復移動によって該操作体３が押し込み状態に保持され、該操作体３の下動に連動してスイッチ素子２９の可動接点２２が自身の弾性力でその接点部２７ａ，２８ａを夫々固定接点１８ａ，１７ａに弾接させてスイッチ素子２９がオン状態となり、これにより端子１６，１８間と端子１６，１７間とが導通して上記コネクタを介して換気扇装置とシャッタ装置とに給電がなされ、換気扇装置が運転しこれに合わせてシャッタ装置が空気通路を開状態とする。
【００３８】
また、この状態で操作体４又は５を押下操作すると、係合用プレート１１の往復移動によって操作体３が復帰ばね８で上方へ復帰し、該操作体３の上動に連動してその腕部９ａでスイッチ素子２９の可動接点２２の自由端側が持ち上げられて固定接点１８ａ，１７ａから接点部２７ａ，２８ａが離間し、スイッチ素子３がオフ状態となり、これに代わって操作体４又は５が押し込み状態に保持され、該操作体４又は５の下動に連動してスイッチ素子３０又は３１の可動接点２３又は２４が自身の弾性力でその接点部２７ａ，２８ａを夫々固定接点１９ａ，１７ｂ又は固定接点２０ａ，１７ｃに弾接させてスイッチ素子３０又は３１がオン状態となり、これにより端子１６，１９間又は端子１６，２０間が導通して上記コネクタを介して換気扇装置に給電がなされ換気扇装置による排気量が切り換えられる。
【００３９】
この際、端子１６，１７間の導通はスイッチ素子３０の可動接点２３の接点部２８ａと固定接点１７ｂとの弾接、又はスイッチ素子３１の可動接点２４の接点部２８ａとの固定接点１７ｃとの弾接により持続されるので、シャッタ装置による空気通路の開状態が保たれ給気が継続されるため換気扇装置による円滑な排気が維持される。
【００４０】
そして、排気が不必要になったときには、リセット用の操作体７を押下操作することで、操作体３，４，５が上方へ復帰して夫々の腕部９ａでスイッチ素子２９〜３１の全てが可動接点２２，２３，２４の自由端側を持ち上げられてオフ状態となり、換気扇装置の運転が停止しシャッタ装置による空気通路の状態が開状態から閉状態に戻る。
【００４１】
また、操作体３〜５が押し込み状態にあるか上方へ復帰した状態にあるのかの如何に係わらず、操作体６を押下操作すると、ハート型カム溝６ａと協動して駆動ピン１０が該操作体６を押し込み状態に保持し、該操作体６の下動に連動してスイッチ素子３２の可動接点２５が自身の弾性力でその接点部２７ａを固定接点２１ａに弾接させてスイッチ素子３２がオン状態となり、これにより端子１６，２１間が導通して上記コネクタを介して照明器具を点灯し、その点灯が不要となれば、押し込み状態にある操作体６を再度押下操作することで該操作体６が復帰ばね８の付勢力で上方へ復帰し、これに連動してその腕部９ａでスイッチ素子３２の可動接点２５が持ち上げられて固定接点２１ａから接点部２７ａが離間し、スイッチ素子３２がオフ状態に戻り照明器具が消灯する。
【００４２】
しかして、この多連スイッチ装置にあっては、基台１５に複数のスイッチ素子２９〜３２と複数の端子１６〜２１とを支持してスイッチ機構部１４を形成し、基台１５をケーシング２に固定してスイッチ機構部１４が操作機構部１に一体化されているので、スイッチ素子２９〜３２をケーシング２外の広い作業スペースで組立上げてからケーシング２内に収容することができるため、スイッチ素子２９〜３２の組立作業の煩雑さを解消し、スイッチング動作の安定した多連スイッチ装置を得ることができる。
【００４３】
また、スイッチ素子２９〜３２の可動接点２２〜２５は基台１５にかしめられて取り付けられるので、その取付作業の簡素化を図ることができ、特にこの実施形態のように、一対のばね片２７，２８を１つの支持部２６で連結し、該支持部２６をかしめ付けて一対のばね片２７，２８を基台１５に同時に取り付けるようにすると、組立工数の低減をより一層促進することができる。
【００４４】
また、スイッチ素子２９〜３２の可動接点２２〜２５を導電性を有する板ばね材で形成して、夫々操作体３〜６の下動に連動して自身の弾性力で固定接点１７ａ，１７ｂ，１７ｃ及び固定接点１８ａ，１９ａ，２０ａ，２１ａに弾接させると共に、操作体２９〜３２の上動に連動して夫々固定接点１７ａ，１７ｂ，１７ｃ及び固定接点１８ａ，１９ａ，２０ａ，２１ａから離間せしめるようにしたので、簡単な構成でスイッチ素子２９〜３２を操作体３〜６の上下動に合わせてスイッチング動作させることができる。
【００４５】
またさらに、スイッチ素子２９〜３０を操作体３〜６の下側にその配列方向に沿って一列に整列配置し、スイッチ素子２９〜３２の可動接点２２〜２５を片持ち状態で基台１５に支持して夫々その自由端側を操作体３〜６の配列方向に向かって同一方向に延在させたので、各可動接点２２〜２５の自由端側を若干量持ち上げることでスイッチ素子２９〜３２のスイッチング動作を行うことができることから、操作体３〜６の上下動のストロークを従来技術と比較して短くすることができるため、多連スイッチ装置の上下方向における寸法を小さくしてその偏平化・コンパクト化を図ることができる。
【００４６】
尚、この実施形態では、係止用爪１６ｃを倒し込んで可動接点２２〜２５を基台１５に支持した場合について説明したが、図１２に示すように、可動接点２２〜２４の係止用孔２６ｂの形状を若干変更し、これと同様に可動接点２５の係止用孔２６ｂの形状も併せて変更して、図１３及び図１４に示すように、係止用孔２６ｂに挿入された係止用爪１６ｃの係止爪部１６ｂを捩ることで可動接点２２〜２５を基台１５に支持することも可能であり、この場合には、係止爪部１６ｂの下端のテーパ部分で支持部２６をかしめ付けることができるため、可動接点２２〜２５を簡単かつ一層強固に支持することができる。
【００４７】
【発明の効果】
本発明は、以上説明したような形態で実施され、以下に記載されるような効果を奏する。
【００４８】
本発明の多連スイッチ装置は、操作機構部とスイッチ機構部とで構成され、前記スイッチ機構部はこれが固定される前記操作機構部のケーシングの外側で基台に複数のスイッチ素子と複数に端子とを支持して組立を完了することができるため、組立作業性を向上させ複数のスイッチ素子の安定したスイッチング動作を得ることができる。
【００４９】
また、前記複数のスイッチ素子は前記基台に固着された固定接点と該固定接点に接離する可動接点とを夫々有し、該可動接点は前記基台にかしめられて取り付けられるので、その取付作業の簡素化を図ることができる。
【００５０】
また、前記可動接点を導電性を有する板ばね材で形成し、前記操作体の下動に連動して前記可動接点を自身の弾性力で前記固定接点に弾接させると共に、前記操作体の上動に連動させて前記可動接点を自身の弾性力に抗して前記固定接点から離間せしめるようにしたので、簡単な構成で複数のスイッチ素子を複数の操作体の上下動に合わせて夫々スイッチング動作させることができる。
【００５１】
またさらに、前記基台が前記複数の操作体の下側に配置され、該基台上に前記複数のスイッチ素子が前記複数の操作体の配列方向に沿って一列に整列して配置されており、前記可動接点が前記基台上に片持ち状態で固設されて、前記可動接点の自由端側が前記複数の操作体の配列方向に向かって同一方向に延在されているので、前記複数の操作体の上下動のストロークを短くすることができ、多連スイッチ装置の上下方向における寸法を小さくしてその偏平化・コンパクト化を図ることができる。
【図面の簡単な説明】
【図１】本発明の一実施形態に係わる多連スイッチ装置のカバーを取り外して一側面側から見た側面図である。
【図２】該多連スイッチ装置の短手方向に沿う断面図である。
【図３】該多連スイッチ装置を構成する操作機構部の一側面側から見た側面図である。
【図４】該多連スイッチ装置構成するスイッチ機構部の平面図である。
【図５】その一側面側から見た側面図である。
【図６】該スイッチ機構部に備わる基台の平面図である。
【図７】図６の７−７に沿う断面図である。
【図８】図６の８−８に沿う断面図である。
【図９】図６の９−９に沿う断面図である。
【図１０】該スイッチ機構部に備わる可動接点の平面図である。
【図１１】その一側面側から見た側面図である。
【図１２】該可動接点の変形例を示す平面図である。
【図１３】該スイッチ機構部の変形例を示す平面図である。
【図１４】その一側面側から見た側面図である。
【図１５】従来の多連スイッチ装置の一側面側から見た側面図である。
【符号の説明】
１  操作機構部
２  ケーシング
２ａ  開口
２ｂ  固定部
２ｃ  筒部
３，４，５，６  操作体
６ａ  ハート型カム溝
７  リセット用の操作体
８  復帰ばね
９  リフト用突起
９ａ  腕部
１０  駆動ピン
１１  係合用プレート
１２  圧縮ばね
１３  カバー
１４  スイッチ機構部
１５  基台
１５ａ  角孔
１５ｂ，１５ｃ  円形孔
１６  端子
１６ａ  立ち上がり部
１６ｂ  係止爪部
１６ｃ  係止用爪
１６ｄ  位置決め用爪
１７  端子
１７ａ，１７ｂ，１７ｃ  固定接点
１８  端子
１８ａ  固定接点
１９  端子
１９ａ  固定接点
２０  端子
２０ａ  固定接点
２１  端子
２１ａ  固定接点
２２，２３，２４，２５  可動接点
２６  支持部
２６ａ  位置決め用孔
２６ｂ  係止用孔
２７  ばね片
２７ａ  接点部
２８  ばね片
２８ａ  接点部
２９，３０，３１，３２  スイッチ素子
【図１】
0003958945.tif 000002
【図２】
0003958945.tif 000003
【図３】
0003958945.tif 000004
【図４】
0003958945.tif 000005
【図５】
0003958945.tif 000006
【図６】
0003958945.tif 000007
【図７】
0003958945.tif 000008
【図８】
0003958945.tif 000009
【図９】
0003958945.tif 000010
【図１０】
0003958945.tif 000011
【図１１】
0003958945.tif 000012
【図１２】
0003958945.tif 000013
【図１３】
0003958945.tif 000014
【図１４】
0003958945.tif 000015
【図１５】
0003958945.tif 000016